(57)【要約】【課題】経鼻カニューレをより目立ちにくくすることが可能な経鼻カニューレ保持具を提供する。【解決手段】経鼻カニューレ９０を保持する経鼻カニューレ保持具１０であり、使用者の耳に掛かる耳掛部１１を有し、前記耳掛部１１には、前記経鼻カニューレ９０を少なくとも前記使用者の耳輪の周り又は前記使用者の頭部と耳輪との間で把持する把持部１５が設けられている。【選択図】図１
2020120864.tif 000002
【特許請求の範囲】
【請求項１】
経鼻カニューレを保持する経鼻カニューレ保持具であり、
使用者の耳に掛かる耳掛部を有し、
前記耳掛部には、前記経鼻カニューレを少なくとも前記使用者の耳輪の周り又は前記使用者の頭部と耳輪との間で把持する把持部が設けられている経鼻カニューレ保持具。
【請求項２】
前記把持部は、前記経鼻カニューレの一部を前記耳掛部に沿わせつつ把持する請求項１に記載の経鼻カニューレ保持具。
【請求項３】
前記把持部は、前記使用者の耳輪に沿って配置される湾曲部を有し、
前記湾曲部は、前記経鼻カニューレを前記使用者の耳輪に沿った湾曲状態で把持する請求項１又は２に記載の経鼻カニューレ保持具。
【請求項４】
前記把持部は、前記経鼻カニューレが嵌め込まれる溝部を備えている請求項１から請求項３のいずれか一項に記載の経鼻カニューレ保持具。
【請求項５】
前記把持部は、複数の前記溝部を備えている請求項４に記載の経鼻カニューレ保持具。
【請求項６】
１以上の前記溝部が、前記耳掛部の上側から後側にわたって設けられている請求項４または請求項５に記載の経鼻カニューレ保持具。
【請求項７】
前記溝部は、前記耳掛部の上側から後側まで連続して続く溝部である請求項４に記載の経鼻カニューレ保持具。
【請求項８】
前記耳掛部は、前記耳に載せられる載置部を有し、
前記把持部は、前記載置部に設けられるとともに前記経鼻カニューレを自身に載せた状態で把持する請求項１ないし請求項７のいずれか一項に記載の経鼻カニューレ保持具。
【請求項９】
前記耳掛部から後側に延びる延長部を有し、
前記延長部に、前記経鼻カニューレを把持する第２の把持部が設けられている請求項１ないし請求項８のいずれか一項に記載の経鼻カニューレ保持具。
【発明の詳細な説明】
【技術分野】
【０００１】
本発明は、経鼻カニューレを保持する経鼻カニューレ保持具に関する。
【背景技術】
【０００２】
従来、酸素供給源から使用者の鼻腔へ酸素を供給する経鼻カニューレを保持する経鼻カニューレ保持具が知られている。例えば下記特許文献１の［図２０Ａ］等には、使用者の耳に掛かる耳掛部と、経鼻カニューレが装着される装着部とを備えた経鼻カニューレ保持具が記載されている。耳掛部は、耳の形状に沿って湾曲した形状をなし、装着部は、耳掛部の前端から前方に向かって直線状に延びている。装着部は筒状をなし、経鼻カニューレの途中部分を保持する。耳掛部を使用者の耳に取り付けると、経鼻カニューレは使用者の鼻側に延びた状態に保持される。経鼻カニューレは使用者の顔面の片側のみに配されるため、使用者の顔面の両側に配される場合に比して目立ちにくくなっている。
【先行技術文献】
【特許文献】
【０００３】
【特許文献１】米国特許第８９２５５５０号明細書
【発明の概要】
【発明が解決しようとする課題】
【０００４】
しかしながら、上記のような構成では、経鼻カニューレ保持具の装着部が、使用者の耳付近から前方に延びて配される。このため、やはり経鼻カニューレが目につきやすいという問題があった。
【０００５】
本発明は上記のような事情に基づいて完成されたものであって、経鼻カニューレをより目立ちにくくすることが可能な経鼻カニューレ保持具を提供することを目的とする。
【課題を解決するための手段】
【０００６】
本発明の経鼻カニューレ保持具は、経鼻カニューレを保持する経鼻カニューレ保持具であり、使用者の耳に掛かる耳掛部を有し、前記耳掛部には、前記経鼻カニューレを少なくとも前記使用者の耳輪の周り又は前記使用者の頭部と耳輪との間で把持する把持部が設けられているものである。
【０００７】
本発明によれば、経鼻カニューレのうち使用者の耳付近を通る部位が耳輪の周り又は頭部と耳輪との間で把持されるため、経鼻カニューレを使用者の耳輪で隠すように装着して目立ちにくくすることができる。
【０００８】
本発明のカニューレ保持具において、前記把持部は、前記経鼻カニューレの一部を前記耳掛部に沿わせつつ把持するものとしてもよい。このような構成によれば、経鼻カニューレのうち使用者の耳付近を通る部位が耳掛部に沿うように把持されるため、経鼻カニューレを耳掛部に沿わせてより目立ちにくくすることができる。
【０００９】
また、本発明の経鼻カニューレ保持具において、前記把持部は、前記使用者の耳輪に沿って配置される湾曲部を有するものとしてもよい。更に、前記湾曲部は、前記経鼻カニューレを前記使用者の耳輪に沿った湾曲状態で把持するものとしてもよい。ここで、従来の様に、直線状をなす装着部に経鼻カニューレが保持されている場合、経鼻カニューレが装着部の端で折れ曲がって内面が密着し、所謂「キンク」が発生する虞がある。本発明によれば、経鼻カニューレが湾曲状態で把持されるから、そのような折れ曲がりを防ぐことができる。
【００１０】
また、本発明の経鼻カニューレ保持具において、前記把持部は、前記経鼻カニューレが嵌め込まれる溝部を備えているものとしてもよい。このような構成によれば、溝部に経鼻カニューレを嵌め込むことにより、経鼻カニューレが把持部に把持されるから、経鼻カニューレの取り付け作業を容易に行うことができる。
【００１１】
また、本発明の経鼻カニューレ保持具において、前記把持部は、複数の前記溝部を備えているものとしてもよい。このような構成によれば、経鼻カニューレの長さ方向の複数箇所が溝部に把持されるから、経鼻カニューレの安定性を増すことができる。また、それら複数の溝部の領域全体が連続した溝部である構成と比較すると各溝部を短くできるから、各溝部への経鼻カニューレの嵌め込み作業が容易であり、経鼻カニューレの取り付け作業を容易に行うことができる。
【００１２】
また、本発明の経鼻カニューレ保持具は、１以上の前記溝部が、前記耳掛部の上側から後側にわたって設けられているものとしてもよい。このような構成によれば、経鼻カニューレのうち耳掛部の上側から後側にわたる部分が溝部に把持されるから、経鼻カニューレの安定性を増すことができる。
【００１３】
また、本発明の経鼻カニューレ保持具において、前記溝部は、前記耳掛部の上側から後側まで連続して続く溝部であるものとしてもよい。このような構成によれば、経鼻カニューレのうち耳掛部の上側から後側にわたる長さ範囲全体が連続的に溝部に把持されるから、経鼻カニューレの安定性をより増すことができる。
【００１４】
また、本発明の経鼻カニューレ保持具において、前記耳掛部は、前記耳に載せられる載置部を有するものとしてもよい。更に、前記把持部は、前記載置部に設けられるとともに前記経鼻カニューレを自身に載せた状態で把持するものとしてもよい。このような構成によれば、経鼻カニューレが、耳に載せられる載置部に、載せられた状態で把持されるから、経鼻カニューレに下向きの力が作用しても経鼻カニューレを安定して把持できる。
【００１５】
また、本発明の経鼻カニューレ保持具は、前記耳掛部から後側に延びる延長部を有するものとしてもよく、前記延長部に、前記経鼻カニューレを把持する第２の把持部が設けられているものとしてもよい。このような構成によれば、経鼻カニューレのうち耳掛部より後側に延びる部分が第２の把持部に把持されるから、耳掛部に設けられた把持部と延長部に設けられた第２の把持部とにわたり経鼻カニューレが安定的に保持される。ゆえに、耳掛部の後端部付近で経鼻カニューレが急に折れ曲がったり捻じれたりする事態が生じにくくなり、このような折れ曲がりに起因する「キンク」を防ぐことができる。
【図面の簡単な説明】
【００１６】
【図１】実施例１における経鼻カニューレ保持具の使用状態を示す側面図
【図２】経鼻カニューレ保持具を示す斜視図
【図３】経鼻カニューレ保持具を示す側面図
【図４】経鼻カニューレ保持具を示す断面図であって、図３のＡ−Ａ位置における断面に相当する断面図
【図５】実施例２における経鼻カニューレ保持具を示す斜視図
【図６】経鼻カニューレ保持具を示す側面図
【図７】実施例３における経鼻カニューレ保持具を示す斜視図
【図８】経鼻カニューレ保持具を示す側面図
【図９】実施例４における経鼻カニューレ保持具の使用状態を示す側面図
【図１０】経鼻カニューレ保持具を示す斜視図
【図１１】経鼻カニューレ保持具を示す側面図
【図１２】実施例５における経鼻カニューレ保持具を示す斜視図
【図１３】経鼻カニューレ保持具を示す側面図
【発明を実施するための形態】
【００１７】
本発明の好ましい形態を以下に示す。
＜実施例１＞
以下、本発明を具体化した実施例１について、図１〜図４を参照しつつ詳細に説明する。
本実施例における経鼻カニューレ保持具１０は、使用者の片方の耳に掛けられて経鼻カニューレ９０を保持する片耳タイプである。経鼻カニューレ９０は、可搬型、携帯式酸素濃縮器、小型軽量な酸素濃縮器、などの図示しない酸素供給装置に接続される接続チューブ９１と、使用者の鼻腔に挿入される鼻腔管９２とを有している。以下、各構成部材において、経鼻カニューレ保持具１０の使用状態（経鼻カニューレ保持具１０を使用者の耳に掛けた状態）における上側（図１の上側）を上方、下側（図１の下側）を下方、前側（図１の右側）を前方、後側（図１の左側）を後方として説明する。
【００１８】
経鼻カニューレ保持具１０は、使用者の耳に掛かる耳掛部１１を有している。耳掛部１１は、略Ｕ字状をなし、図１に示すように、開放側を下側に向けて使用者の耳の上側に引っ掛けられる。
【００１９】
耳掛部１１は、使用者の耳に載せられる載置部１２と、載置部１２から使用者の耳の前側に下がる前垂下部１３と、載置部１２から使用者の耳の後側に下がる後垂下部１４とを備えている。前垂下部１３と後垂下部１４との間が下方に開放されている。
【００２０】
耳掛部１１の内周面（使用者の耳に臨む面）は、図３に示すように、載置部１２の下面１２Ｓ、前垂下部１３の後面１３Ｒ及び後垂下部１４の前面１４Ｆにより構成されている。載置部１２の下面１２Ｓは、耳の上側の湾曲形状に沿うように湾曲している。前垂下部１３の後面１３Ｒと後垂下部１４の前面１４Ｆとは、略平行をなして延びている。後垂下部１４の下面１４Ｓは、使用状態において、前垂下部１３の下面１３Ｓより下方に位置するとともに、前下がりの傾斜をなしている。
【００２１】
耳掛部１１の外周面（使用者の耳に臨む面とは反対側の面）は、載置部１２の上面１２Ｕ、前垂下部１３の前面１３Ｆ及び後垂下部１４の後面１４Ｒにより構成されている。耳掛部１１の外周面は、全体が緩やかに湾曲している。載置部１２の上面１２Ｕは、載置部１２の下面１２Ｓより小さい曲率で湾曲している。
【００２２】
耳掛部１１を側面から見ると、図３に示すように、載置部１２の上下方向の寸法１２Ｔは、前垂下部１３の前後方向の寸法１３Ｂ及び後垂下部１４の前後方向の寸法１４Ｂより小さい。また、耳掛部１１を側面から見ると、後垂下部１４の前後方向の寸法１４Ｂは、前垂下部１３の前後方向の寸法１３Ｂより大きい。使用状態では、図１に示すように、載置部１２の上端は使用者の耳の上端と概ね等しい位置に配される。
【００２３】
耳掛部１１の幅寸法（使用状態における左右方向の寸法）１１Ｄ（［図２］参照）は、使用者の頭部の側面と耳輪との間の間隔と同等の寸法である。前垂下部１３及び後垂下部１４は板状をなし、使用状態では、各垂下部１３，１４の板面が使用者の頭部の側面に沿うように配される。耳掛部１１には、経鼻カニューレ９０を使用者の耳輪の周りで把持する把持部１５が設けられている。
【００２４】
把持部１５は、前垂下部１３の上端部から載置部１２の概ね全体にわたって設けられている。把持部１５は、経鼻カニューレ９０を自身に載せた状態で把持する。把持部１５は、使用者の耳輪に沿って配置される湾曲部１６を有している。本実施例では、把持部１５の全体が湾曲部１６を構成している。湾曲部１６は、経鼻カニューレ９０の接続チューブ９１の一部を使用者の耳輪に沿った湾曲状態で把持する。
【００２５】
把持部１５は、経鼻カニューレ９０が嵌め込まれる溝部１７を備えている。溝部１７は、把持部１５に凹み形成され、把持部１５の全長にわたり連続している。溝部１７は、耳掛部１１の外周部（外縁部）において下側に向かって凹む構成をなしており、上側が開放されるとともに、前端が前方に、後端が後方に開放されている。使用状態では、図１に示すように、溝部１７の下面の前端部１７Ｆは前下がりに傾斜し、溝部１７の下面の後端部１７Ｒは略水平に配される。溝部１７の下面は、前後方向の全体にわたり後上がりで緩やかに湾曲している。
【００２６】
溝部１７は、図４に示すように、経鼻カニューレ９０の接続チューブ９１に外嵌する嵌合部１７Ａと、嵌合部１７Ａを外部に開放する開放部１７Ｂとを有している。嵌合部１７Ａの断面形状は、接続チューブ９１の外周面に沿う円形状をなしている。嵌合部１７Ａは、接続チューブ９１の外径寸法に整合した径寸法を有している。開放部１７Ｂは、接続チューブ９１の外径寸法より小さい幅寸法を有している。開放部１７Ｂの両側には、接続チューブ９１を嵌合部１７Ａに案内する案内面１８が設けられている。一対の案内面１８は、略平行をなして対向している。開放部１７Ｂの幅寸法は、図２に示すように、溝部１７の前後方向の両端部に比べて中央部が小さくなっている。このように構成された溝部１７は、装着状態（図１参照）のときに耳輪に沿って配置され、自身の内壁部によって経鼻カニューレ９０の接続チューブ９１を挟み込むように保持する。接続チューブ９１において溝部１７内に嵌り込んだ領域は、溝部１７に沿うように耳輪に沿って配置され、当該領域全体にわたって溝部１７に挟持される。このように溝部１７が接続チューブ９１を挟持することで、接続チューブ９１は、使用者の耳輪の周り又は使用者の頭部と耳輪との間で把持される。図１の例では、接続チューブ９１の一部が使用者の頭部と耳輪との間（具体的には、耳の頂部近傍）で挟持されており、他の一部が使用者の耳輪の周り（具体的には、耳の頂部の前側）で挟持されている。
【００２７】
経鼻カニューレ９０を経鼻カニューレ保持具１０に取り付ける際には、経鼻カニューレ９０の接続チューブ９１の一部を溝部１７の開放部１７Ｂから嵌合部１７Ａに押し込む。接続チューブ９１との当接により、開放部１７Ｂの両側は弾性変形し、開放部１７Ｂの幅寸法は大きくなる。接続チューブ９１は案内面１８に当接して嵌合部１７Ａに案内される。接続チューブ９１が嵌合部１７Ａに嵌合すると、開放部１７Ｂの両側は弾性復帰し、開放部１７Ｂの幅寸法は小さくなる。これにより、溝部１７は接続チューブ９１を保持した状態になり、経鼻カニューレ９０を経鼻カニューレ保持具１０に取り付ける作業が完了する。
【００２８】
経鼻カニューレ９０が取り付けられた状態の経鼻カニューレ保持具１０を耳に掛ける。図１に示すように、耳掛部１１が使用者の耳に上方から引っ掛かった状態では、耳掛部１１の一部（載置部１２の前後方向の中心部及び後垂下部１４の上端前縁部）が、使用者の耳に隠れて側方から見えなくなる。
【００２９】
鼻腔管９２を使用者の鼻腔に挿入する。経鼻カニューレ９０の接続チューブ９１は、使用者の鼻から耳、耳から耳の後ろにわたる全体において緩やかに湾曲した状態で保持される。接続チューブ９１のうち使用者の耳の近傍に配される部分は、使用者の耳の前方から耳輪に沿って耳の上端を経由し、耳の後方に至るまで湾曲している。接続チューブ９１のうち把持部１５に把持された部分は、溝部１７に入り込んでいるため、使用者の側方からは見えない。
【００３０】
次に、上記のように構成された本実施例の作用および効果について説明する。
本実施例の経鼻カニューレ保持具１０は、経鼻カニューレ９０を保持する経鼻カニューレ保持具１０であり、使用者の耳に掛かる耳掛部１１を有し、耳掛部１１には、経鼻カニューレ９０を使用者の耳輪の周りで把持する把持部１５が設けられている。この構成によれば、経鼻カニューレ９０のうち使用者の耳付近を通る部位が耳輪の周りで把持されるため、経鼻カニューレ９０を使用者の耳輪で隠すように装着して目立ちにくくすることができる。
【００３１】
また、把持部１５は、経鼻カニューレ９０の一部を耳掛部１１に沿わせつつ把持する。この構成によれば、経鼻カニューレ９０のうち使用者の耳付近を通る部位が耳掛部１１に沿うように把持されるため、経鼻カニューレ９０を耳掛部１１に沿わせてより目立ちにくくすることができる。
【００３２】
また、把持部１５は、使用者の耳輪に沿って配置される湾曲部１６を有し、湾曲部１６は、経鼻カニューレ９０を使用者の耳輪に沿った湾曲状態で把持する。ここで、従来の様に、直線状をなす装着部に経鼻カニューレ９０が保持されている場合、経鼻カニューレ９０が装着部の端で折れ曲がって内面が密着し、所謂「キンク」が発生する虞がある。本発明によれば、経鼻カニューレ９０が湾曲状態で把持されるから、そのような折れ曲がりを防ぐことができる。
【００３３】
また、把持部１５は、経鼻カニューレ９０が嵌め込まれる溝部１７を備えている。この構成によれば、溝部１７に経鼻カニューレ９０を嵌め込むことにより、経鼻カニューレ９０が把持部１５に把持されるから、経鼻カニューレ９０の取り付け作業を容易に行うことができる。
【００３４】
また、溝部１７が、耳掛部１１の上側から後側にわたって設けられている。この構成によれば、経鼻カニューレ９０のうち耳掛部１１の上側から後側にわたる部分が溝部１７に把持されるから、経鼻カニューレ９０の安定性を増すことができる。
【００３５】
また、耳掛部１１は、耳に載せられる載置部１２を有し、把持部１５は、載置部１２に設けられるとともに経鼻カニューレ９０を自身に載せた状態で把持する。この構成によれば、経鼻カニューレ９０が載置部１２（耳に載せられる部分）に設けられた把持部１５に載せられた状態で把持されるから、経鼻カニューレ９０に下向きの力が作用しても経鼻カニューレ９０を安定して把持できる。
【００３６】
＜実施例２＞
次に、本発明を具体化した実施例２に係る経鼻カニューレ保持具２０を図５及び図６によって説明する。
本実施例の経鼻カニューレ保持具２０は、把持部２１が２つの溝部２２Ｆ，２２Ｒを備える点で、実施例１とは相違する。なお、実施例１と同様の構成には同一符号を付して重複する説明を省略する。
【００３７】
本実施例に係る経鼻カニューレ保持具２０は、実施例１と同様に、使用者の耳に掛かる耳掛部１１を有し、耳掛部１１は、載置部１２と、前垂下部１３と、後垂下部１４とを備えている。耳掛部１１には、実施例１と同様、把持部２１が設けられ、把持部２１は、経鼻カニューレ９０の一部を耳掛部１１に沿わせつつ把持する。
【００３８】
把持部２１は、前垂下部１３の上端部、載置部１２及び後垂下部１４に設けられている。把持部２１は、経鼻カニューレ９０の接続チューブ９１の一部を使用者の耳輪に沿った湾曲状態で把持する湾曲部２３を有している。把持部２１のうち前垂下部１３の上端部から載置部１２に形成された部分と、後垂下部１４の上端部に形成された部分とが湾曲部２３を構成している。
【００３９】
溝部２２Ｆ，２２Ｒは、実施例１と同様、把持部２１に凹み形成されている。溝部２２Ｆ，２２Ｒは、耳掛部１１の上側から後側にわたって設けられている。溝部２２Ｆ，２２Ｒのうち上側に形成された溝部２２Ｆは、実施例１の溝部１７と同様の構成を有している。
【００４０】
溝部２２Ｆ，２２Ｒのうち後側に形成された溝部２２Ｒは、後側が開放されるとともに、上端が上方に、下端が下方に開放されている。使用状態では、溝部２２Ｒの前面の上端部２２Ｕは緩やかに湾曲し、溝部２２Ｒの前面の上端部２２Ｕを除く大部分は略垂直に配される。
【００４１】
溝部２２Ｆ，２２Ｒは、実施例１の溝部１７と同様、経鼻カニューレ９０の接続チューブ９１に外嵌する嵌合部２２Ａと、嵌合部２２Ａを外部に開放する開放部２２Ｂとを有している。嵌合部２２Ａの断面形状は、接続チューブ９１の外周面に沿う円形状をなしている。嵌合部２２Ａは、接続チューブ９１の外径寸法に整合した径寸法を有している。開放部２２Ｂは、接続チューブ９１の外径寸法より小さい幅寸法を有している。開放部２２Ｂの両側には、接続チューブ９１を嵌合部２２Ａに案内する案内面２４が設けられている。
【００４２】
経鼻カニューレ９０を経鼻カニューレ保持具２０に取り付ける際には、経鼻カニューレ９０の接続チューブ９１の一部を、溝部２２Ｆ，２２Ｒのそれぞれに対し、開放部２２Ｂから嵌合部２２Ａに押し込んで、嵌合部２２Ａに嵌合する。これにより、経鼻カニューレ９０を経鼻カニューレ保持具２０に取り付ける作業が完了する。
【００４３】
以上のように本実施例においては、実施例１と同様、経鼻カニューレ９０のうち使用者の耳付近を通る部位が耳輪の周りで把持されるため、経鼻カニューレ９０を使用者の耳輪で隠すように装着して目立ちにくくすることができる。加えて、経鼻カニューレ９０の長さ方向の２箇所が溝部２２Ｆ，２２Ｒに把持されるから、経鼻カニューレ９０の安定性を増すことができる。また、それら２つの溝部２２Ｆ，２２Ｒの領域全体が連続した溝部である構成と比較すると各溝部２２Ｆ，２２Ｒを短くできるから、各溝部２２Ｆ，２２Ｒへの経鼻カニューレ９０の嵌め込み作業が容易であり、経鼻カニューレ９０の取り付け作業を容易に行うことができる。加えて、溝部２２Ｆ，２２Ｒが、耳掛部１１の上側から後側にわたって設けられているから、経鼻カニューレ９０のうち耳掛部１１の上側から後側にわたる部分が溝部２２Ｆ，２２Ｒに把持されるので、経鼻カニューレ９０の安定性を増すことができる。
【００４４】
＜実施例３＞
次に、本発明を具体化した実施例３に係る経鼻カニューレ保持具３０を図７及び図８によって説明する。
本実施例の経鼻カニューレ保持具３０は、把持部３１が、耳掛部１１の上側から後側まで連続して続く溝部３２を有する点で、実施例２とは相違する。なお、実施例２と同様の構成には同一符号を付して重複する説明を省略する。
【００４５】
本実施例に係る経鼻カニューレ保持具３０は、実施例２と同様に、使用者の耳に掛かる耳掛部１１を有し、耳掛部１１は、載置部１２と、前垂下部１３と、後垂下部１４とを備えている。耳掛部１１には、実施例２と同様、把持部３１が設けられ、把持部３１は、経鼻カニューレ９０の一部を耳掛部１１に沿わせつつ把持する。
【００４６】
把持部３１は、実施例２と同様、前垂下部１３の上端部、載置部１２及び後垂下部１４に設けられている。把持部３１のうち前垂下部１３の上端部から載置部１２に形成された部分全体と、後垂下部１４の上端部に形成された部分とが湾曲部３３を構成している。
【００４７】
溝部３２は、実施例２と同様、把持部３１に凹み形成され、耳掛部１１の上側から後側にわたって設けられている。溝部３２は、実施例２の溝部２２Ｆ、２２Ｒが連続した一つの溝部を構成するように繋げられた形態をなしている。溝部３２の延び方向における前端部の下面３２Ｆは前下がりに傾斜し、後端部の前面３２Ｒは略垂直に垂下している。溝部３２のうち前垂下部１３の上端部から載置部１２を経由して後垂下部１４の上端部にわたる部分は、緩やかに湾曲した一つの弧状をなしている。溝部３２は、実施例２と同様、経鼻カニューレ９０の接続チューブ９１に外嵌する嵌合部３２Ａと、嵌合部３２Ａを外部に開放する開放部３２Ｂとを有している。
【００４８】
経鼻カニューレ９０を経鼻カニューレ保持具３０に取り付ける際には、経鼻カニューレ９０の接続チューブ９１の一部を、溝部３２の開放部３２Ｂから嵌合部３２Ａに押し込んで嵌合する。これにより、経鼻カニューレ９０を経鼻カニューレ保持具３０に取り付ける作業が完了する。
【００４９】
以上のように本実施例においては、実施例２と同様、経鼻カニューレ９０のうち使用者の耳付近を通る部位が耳輪の周りで把持されるため、経鼻カニューレ９０を使用者の耳輪で隠すように装着して目立ちにくくすることができる。加えて、経鼻カニューレ９０のうち耳掛部１１の上側から後側にわたる長さ範囲全体が連続的に溝部３２に把持されるから、経鼻カニューレ９０の安定性をより増すことができる。
【００５０】
＜実施例４＞
次に、本発明を具体化した実施例４に係る経鼻カニューレ保持具４０を図９〜図１１によって説明する。
本実施例の経鼻カニューレ保持具４０は、耳掛部４１の後側に延長部４２を有する点で、実施例１とは相違する。なお、実施例１と同様の構成には同一符号を付して重複する説明を省略する。
【００５１】
本実施例の経鼻カニューレ保持具４０は、使用者の両方の耳に掛けられて経鼻カニューレ９０を保持する両耳タイプである。経鼻カニューレ保持具４０は、使用者の左右の耳に掛かる一対の耳掛部４１と、一対の耳掛部４１を繋ぐ連結部４３とを備えている。一対の耳掛部４１は、同形状をなしている。経鼻カニューレ保持具４０は、左右方向の中心を基準に対称な形状をなしている。
【００５２】
耳掛部４１は、使用者の耳に載せられる載置部４４と、載置部４４から使用者の耳の前側に下がる前垂下部４５とを備えている。耳掛部４１の内周面（使用者の耳に臨む面）は、図１１に示すように、載置部４４の下面４４Ｓと、前垂下部４５の後面４５Ｒとにより構成されている。載置部４４の下面４４Ｓは、実施例１と同様、耳の上側の湾曲形状に沿うように湾曲している。
【００５３】
耳掛部４１の外周面（使用者の耳に臨む面とは反対側の面）は、載置部４４の上面４４Ｕと、前垂下部４５の前面４５Ｆとにより構成されている。耳掛部４１の外周面は、全体が緩やかに湾曲している。載置部４４の上面４４Ｕは、実施例１と同様、載置部４４の下面４４Ｓより小さい曲率で湾曲している。
【００５４】
耳掛部４１の後側には、延長部４２が設けられている。延長部４２は、載置部４４の後端から後方に延びている。延長部４２は、図９に示すように、使用状態で斜め下向きに傾斜している。
【００５５】
耳掛部４１を側面から見ると、図１１に示すように、載置部４４の上下方向の寸法４４Ｔは、前垂下部４５の幅寸法（前垂下部４５の延び方向に対し略直交方向の寸法）４５Ｂより小さい。また、延長部４２の幅寸法（延長部４２の延び方向に対し略直交方向の寸法）４２Ｂは、前垂下部４５の幅寸法４５Ｂより大きい。
【００５６】
耳掛部４１の幅寸法（使用状態における左右方向の寸法）４１Ｄ（［図１０］参照）は、実施例１と同様、使用者の頭部の側面と耳輪との間の間隔と同等の寸法である。前垂下部４５及び延長部４２は板状をなし、使用状態では前垂下部４５及び延長部４２の板面が使用者の頭部の側面に沿うように配される。耳掛部４１には、経鼻カニューレ９０を使用者の耳輪の周りで把持する把持部４６が設けられている。
【００５７】
把持部４６は、実施例１と同様、前垂下部４５の上端部及び載置部４４に設けられている。把持部４６は、実施例１と同様、使用者の耳輪に沿って配置される湾曲部１６を有し、経鼻カニューレ９０が嵌め込まれる溝部１７を備えている。
【００５８】
経鼻カニューレ９０を経鼻カニューレ保持具４０に取り付ける際には、経鼻カニューレ９０の接続チューブ９１の一部を各耳掛部４１の溝部１７に嵌合する。これにより、経鼻カニューレ９０が経鼻カニューレ保持具４０に取り付けられた状態になる。経鼻カニューレ９０が取り付けられた状態の経鼻カニューレ保持具４０を使用者の両耳に掛け、鼻腔管９２を使用者の鼻腔に挿入する。使用者の各耳に上方から引っ掛かった状態の耳掛部４１は、載置部４４の前後方向の中心部から延長部４２の前端部にわたり、使用者の耳に隠れて側方からは見えなくなる。接続チューブ９１のうち把持部４６に把持された部分は、実施例１と同様、溝部１７に入り込んでいるため、使用者の側方からは見えなくなっている。経鼻カニューレ９０の接続チューブ９１は、使用者の鼻から耳、耳から頭部の後ろにわたる全体において緩やかに湾曲した状態になる。接続チューブ９１のうち使用者の耳の近傍に配される部分は、耳の前方から耳の上端を経由し、耳の後方に至るまで湾曲している。接続チューブ９１のうち耳の上端から後方に向かう部分は、それより前方の部分に比して小さい曲率で湾曲している。
【００５９】
以上のように本実施例においては、実施例１と同様、経鼻カニューレ９０のうち使用者の耳付近を通る部位が耳輪の周りで把持されるため、経鼻カニューレ９０を使用者の耳輪で隠すように装着して目立ちにくくすることができる。
【００６０】
＜実施例５＞
次に、本発明を具体化した実施例５に係る経鼻カニューレ保持具５０を図１２及び図１３によって説明する。
本実施例の経鼻カニューレ保持具５０は、延長部４２に、経鼻カニューレ９０を把持する第２の把持部５１が設けられている点で、実施例４とは相違する。なお、実施例４と同様の構成には同一符号を付して重複する説明を省略する。
【００６１】
本実施例の経鼻カニューレ保持具５０は、実施例４と同様、一対の耳掛部４１と、一対の耳掛部４１を繋ぐ連結部４３とを備え、耳掛部４１は、載置部４４と、前垂下部４５と、延長部４２とを備えている。
【００６２】
前垂下部４５の上端部及び載置部４４には、実施例４と同様、把持部４６が設けられている。把持部４６は、使用者の耳輪に沿って配置される湾曲部１６を有し、経鼻カニューレ９０が嵌め込まれる溝部１７を備えている。
【００６３】
第２の把持部５１は、延長部４２の上面に設けられている。第２の把持部５１は、経鼻カニューレ９０の接続チューブ９１の一部を緩い傾斜で後ろ下がりに湾曲した状態で把持する。
【００６４】
第２の把持部５１は、経鼻カニューレ９０が嵌め込まれる溝部５２を備えている。溝部５２は、第２の把持部５１に凹み形成され、第２の把持部５１の概ね全長にわたり連続している。溝部５２は、上側が開放されるとともに、前端が前方に、後端が後方に開放されている。使用状態では、溝部５２の下面は、前後方向の全体にわたり後下がりで緩やかに湾曲している。溝部５２は、溝部１７と同様、経鼻カニューレ９０の接続チューブ９１に外嵌する嵌合部５２Ａと、嵌合部５２Ａを外部に開放する開放部５２Ｂとを有している。
【００６５】
経鼻カニューレ９０を経鼻カニューレ保持具５０に取り付ける際には、経鼻カニューレ９０の接続チューブ９１の一部を各耳掛部４１の溝部１７，５２に嵌合する。これにより、経鼻カニューレ９０が経鼻カニューレ保持具５０に取り付けられた状態になる。経鼻カニューレ９０が取り付けられた状態の経鼻カニューレ保持具５０を使用者の両耳に掛け、鼻腔管９２を使用者の鼻腔に挿入する。使用者の耳に上方から引っ掛かった状態の耳掛部４１は、実施例４と同様、載置部４４の前後方向の中心部から延長部４２の前端部が、使用者の耳に隠れて側方からは見えない。接続チューブ９１のうち把持部４６及び第２の把持部５１に把持された部分は、実施例４と同様、溝部１７，５２に入り込んでいるため、使用者の側方からは見えない。経鼻カニューレ９０の接続チューブ９１は、実施例４と同様、使用者の鼻から耳、耳から頭部の後ろにわたる全体において緩やかに湾曲した状態になる。
【００６６】
以上のように本実施例においては、実施例４と同様、経鼻カニューレ９０のうち使用者の耳付近を通る部位が耳輪の周りで把持されるため、経鼻カニューレ９０を使用者の耳輪で隠すように装着して目立ちにくくすることができる。また、経鼻カニューレ９０のうち耳掛部１１より後側に延びる部分が第２の把持部５１に把持されるから、耳掛部１１に設けられた把持部１５と延長部４２に設けられた第２の把持部５１とにわたり経鼻カニューレ９０が安定的に保持される。ゆえに、耳掛部１１の後端部付近で経鼻カニューレ９０が急に折れ曲がったり捻じれたりする事態が生じにくくなり、このような折れ曲がりに起因する「キンク」を防ぐことができる。
【００６７】
＜他の実施例＞
本発明は上記記述及び図面によって説明した実施例に限定されるものではなく、例えば次のような実施例も本発明の技術的範囲に含まれる。
（１）上記実施例では、溝部１７，２２Ｆ，２２Ｒ，３２，５２が耳掛部４１の上面に形成されているが、これに限らず、溝部は耳掛部の側面（頭部に臨む側の面もしくは頭部に臨む側とは反対側の面）に形成してもよい。
（２）上記実施例では、把持部１５，２１，３１，４６は、経鼻カニューレの一部を耳掛部１１，４１に沿わせつつ把持するものであるが、これに限らず、把持部は、例えば経鼻カニューレの一部を載置部に沿わせず前垂下部と後垂下部とに掛け渡すような形態で把持してもよい。
（３）上記実施例では、把持部１５，２１，３１，４６の湾曲部１６が、経鼻カニューレを使用者の耳輪に沿った湾曲状態で把持するが、これに限らず、把持部は湾曲部を有さなくてもよく、例えば経鼻カニューレを使用者の耳輪付近で直線状に把持するものであってもよい。
（４）上記実施例では、把持部１５，２１，３１，４６及び第２の把持部５１が溝部１７，２２Ｆ，２２Ｒ，３２，５２を有しているが、これに限らず、把持部が経鼻カニューレの接続チューブを把持する手段は任意に変更でき、例えばその手段は環状をなすフック等であってもよい。
（５）上記実施例１〜３に例示した耳掛部１１は片耳タイプの経鼻カニューレ保持具１０，２０，３０に備えられたものであり、上記実施例４，５に例示した耳掛部４１は両耳タイプの経鼻カニューレ保持具４０，５０に備えられたものであるが、これに限らず、上記実施例１〜３に例示した耳掛部を両耳タイプの経鼻カニューレ保持具に適用してもよいし、上記実施例４，５に例示した耳掛部を片耳タイプの経鼻カニューレ保持具に適用してもよい。
（６）上記実施例２では、把持部２１が２つの溝部２２Ｆ，２２Ｒを備える場合を例示したが、これに限らず、把持部は３以上の溝部を備えてもよい。
【符号の説明】
【００６８】
１０，２０，３０，４０，５０…経鼻カニューレ保持具
１１，４１…耳掛部
１２，４４…載置部
１５，２１，３１，４６…把持部
１６…湾曲部
１７，２２Ｆ，２２Ｒ，３２，５２…溝部
４２…延長部
５１…第２の把持部
９０…経鼻カニューレ
【図１】
2020120864.tif 000003
【図２】
2020120864.tif 000004
【図３】
2020120864.tif 000005
【図４】
2020120864.tif 000006
【図５】
2020120864.tif 000007
【図６】
2020120864.tif 000008
【図７】
2020120864.tif 000009
【図８】
2020120864.tif 000010
【図９】
2020120864.tif 000011
【図１０】
2020120864.tif 000012
【図１１】
2020120864.tif 000013
【図１２】
2020120864.tif 000014
【図１３】
2020120864.tif 000015